(57)【特許請求の範囲】
【請求項１】
化粧パネルに昇降自在に支持した吸込グリルと、この吸込グリルを昇降自在に吊り下げる複数の吊紐と、これら吊紐がそれぞれ巻回される巻取プーリとを備え、この巻取プーリの回転によって前記吸込グリルを昇降させるようにした空気調和機において、
前記吸込グリルには対向する２辺に吊紐を通すガイドを設けて前記吊紐を挿通し、かつ、各辺ごとに挿通された吊紐の先端をスプリングを介して連結したことを特徴とする空気調和機。
【発明の詳細な説明】
【０００１】
【発明の属する技術分野】
本発明は、天井に設置されるユニット本体を有する空気調和機の吸込グリルの取付構造に関する。
【０００２】
【従来の技術】
天井開口に取り付けられる化粧パネルに吸込グリルを設け、この吸込グリルにはフィルタを設けた天井埋込型空気調和機は知られている。この吸込グリルに設けられたフィルタを外してして掃除することにより空気調和機の性能を十分に発揮させる。
【０００３】
化粧パネルに収納された吸込グリルを天井から作業場所に降ろすために、化粧パネルに吸込グリルを昇降させる昇降装置を設けた天井埋込型空気調和機が提案されている。この昇降装置は化粧パネルに設けられた巻取プーリに一端が吸込グリルに取り付けられた吊紐の他端が巻回され、巻取プーリの回転によって吸込グリルを昇降させるようにしたものである。昇降装置には吸込グリルを安定して昇降させるために吊紐が２組以上使用され、この吊紐を同時に繰り出し巻き取りする。
【０００４】
【発明が解決しようとする課題】
しかし、各吊紐は長さが必ずしも一定でないことや各吊紐が巻き取り時に不規則に重なりあって巻き取られることから、下ろした吸込グリルを化粧パネルに収納する際、吸込グリルの周辺各部の収納タイミングにずれを生じることがある。このずれによって、吸込グリルが化粧パネルに密着して収納されないで吸込グリルの一部が当接した状態で吊紐の巻き取りを停止するという問題が発生する。
【０００５】
そこで、本発明は、上述した従来の技術が有する問題点を解消し、吸込グリルを化粧パネルに密着して収納することのできる空気調和機の提供を目的とするものである。
【０００６】
【課題を解決するための手段】
上記目的を達成するために、本発明は、化粧パネルに昇降自在に支持した吸込グリルと、この吸込グリルを昇降自在に吊り下げる複数の吊紐と、これら吊紐がそれぞれ巻回される巻取プーリと、この巻取プーリの回転によって吸込グリルを昇降させるようにした空気調和機において、前記吸込グリルには対向する２辺に吊紐を通すガイドを設けて前記吊紐を挿通し、かつ、各辺ごとに挿通された吊紐の先端をスプリングを介して連結したものである。
【０００７】
吸込グリルの上昇時に、吸込グリルの一辺が先に化粧パネルに当接しても、先に当接した側の吊紐のスプリングが伸びるので、巻取プーリの回転が続けられ吊紐が巻取プーリに巻かれ吸込グリルの他方側の辺が化粧パネルに当接し、吸込グリルの四辺が化粧パネルに密着する。
【０００８】
【発明の実施の形態】
以下、本発明の一実施形態を図面に基づいて説明する。
【０００９】
図１は一般的な天井埋込型空気調和機の縦断面図であり、この図１において、１は天井埋込型空気調和機を示している。この天井埋込型空気調和機１は、天井内部２に収納されるユニット本体３と、中央に吸込口４を外周部の四辺に吹出口５を有し、天井穴６を塞ぐように天井面７に設けられる化粧パネル８と、中央に吸込口４を有する吸込グリル９とにより構成されている。
【００１０】
１２はターボファン１３と天板１４に取り付けられたファン用モータ１５からなる送風機、１６は吸込口４からの室内空気をターボファン１３に案内するノズル口、１７は内側立上がり部１８と外側立上がり部１９とを有し、角張った環形状に発泡スチロールで形成されたドレンパン、２２はターボファン１３の吐出側にこのファンを取り囲むように環状に配置されたプレートフィン型熱交換器である。そして、２３はユニット本体３の周面に巻付けられた断熱材、２４は前記熱交換器２２で熱交換された空気を吹出口５へ導く導風部、２５はユニット本体３を吊具で天井梁に吊下げるための吊下げボルト、２６は吸込グリル９下流側に取付けられたフィルタである。
【００１１】
次に、図２、図３を参照し、本実施形態の要部を説明すると、図２において、この吸込グリル９は４本の吊紐３１、３２、３３、３４を介して人力で引き下げ可能に化粧パネル８に支持されている。これら４本の吊紐３１、３２、３３、３４には樹脂ワイヤあるいは金属ワイヤの外周にビニールコーティングを施したもの等が使用される。４本の吊紐３１、３２、３３、３４は、化粧パネル８内側の対向する２辺に設けられたガイドプーリ３５、３６、パネルガイド３７、３８、３９、４０、吸込グリル９の２辺に設けられたグリルプーリ４１、４２、４３、４４にそれぞれ掛け渡される。吊紐３１の先端と吊紐３２の先端、吊紐３３の先端と吊紐３４の先端とがそれぞれスプリング４５で連結されている。各吊紐３１、３２、３３、３４の巻取端はそれぞれ巻取プーリ５１、５２、５３、５４に巻回されている。なお、各グリルプーリ４１、４２、４３、４４と各吊紐３１、３２、３３、３４の間には吸込グリル９が不用意に傾いたりしないように若干の抵抗がついている。
【００１２】
巻取プーリ５１、５２、５３、５４は５１および５２、５３および５４がそれぞれ連結され、化粧パネル８に枢支されたシャフト５６に固定されている。シャフト５６は巻取手段５７の作動により回転する。
【００１３】
巻取手段５７は、シャフト５５に固定されラチェット機構（図示せず）を内蔵した巻取ロール５９と、渦巻バネ６１の板バネ６０を巻き取る基本ロール５８とを備え、板バネ６０の先端が巻取ロール５９に取り付けられらて構成される。板バネ６０は吸込グリル９の引き下げによって巻取ロール５９が反時計方向に回転すると巻取ロール５９に巻き取られる。
【００１４】
吸込グリル９の下面側ほぼ中央には取っ手６３が設けてあり、この取っ手６３に引き下げ棒６２の先端が引っ掛けられる。
【００１５】
このように吸込グリル９は吊紐３１、３２、３３、３４により昇降自在に化粧パネル８に吊り下げられている。
【００１６】
つぎに、実施形態の作動を説明する。引き下げ棒６２を吸込グリル９下面の取っ手６３に引っ掛けて引き下げることにより、吸込グリル９は吊紐３１、３２、３３、３４に吊られた状態で引き下げられる。巻取プーリ５１、５２、５３、５４が反時計方向に回転し、それと一体にシャフト５６も反時計方向に回転し、水平状態を維持したまま降下する。この場合に、吸込グリル９は基本ロール５８に内蔵されている渦巻バネ６１の回転力で上方に付勢されながら、引き下げ力と荷重（吸込グリル９とフィルタ２６の重さ）の総和に引き下げ棒６２の力が加わって引き下げられる。したがって、降下動作は安定し、静かに下ろされる。吸込グリル９の降下の過程では、巻取ロール５９のラチェット機構が常に動作するので、任意の位置で吸込グリル９の一時停止が可能である。吸込グリル９の上部には空気清浄用のフィルタ２６が装着されるので、吸込グリル９を天井面７から引き下ろして、途中で一時停止させたときには、フィルタ２６の交換、清掃等の作業を低所で行うことができる。したがって、高所で作業する場合に比べ、作業が簡単になるだけでなく、作業の安全性を向上させることができる。
【００１７】
なお、吸込グリル９がほぼ最下位まで引き下げられたら、基本ロール５８の板バネ６０はすべて巻取ロール５９に巻き取られラチェット機構が動作して吸込グリル９は最下位置に停止される。一方、この状態で吸込グリル９を少し下方へ移動させると、ラチェット機構が解除（動作）され、これによって渦巻バネ６１の回転しようとする力によって、巻取ロール５９が時計方向に回転し、それと一体にシャフト５６が時計方向に回転し、一対の巻取プーリに対して、吊紐が２本ずつ同時に巻き取られる。
【００１８】
このとき、吊紐３１、３２および３３、３４が２本ずつ４本同時に巻き取られれば、吸込グリル９はほぼ水平状態を維持したまま上昇するが、吊紐が巻き取られる時に段巻きになったりすることから、各吊紐３１、３２、３３、３４の長さが初めに揃っていても長さは不揃いとなり吸込グリル９が少し傾いた状態で引き上げられることがある。この傾いた状態を正さないで吸込グリル９を上昇させると吸込グリル９の中の一部が先に化粧パネル８に到達し、先に到達した側のグリルプーリ４１、４２間および４３、４４間で吊紐３１、３２および３３、３４が移動して吸込グリル９の一方の辺が化粧パネル８に当接する。吸込グリル９の一辺が先に化粧パネル８に当接しても、先に当接した側の吊紐のスプリング４５が伸びるので、さらに４つの巻取プーリ５１、５２、５３、５４の回転が続けられ吊紐３１、３２、３３、３４が巻取プーリ５１、５２、５３、５４に巻かれ吸込グリル９の他方側の辺が化粧パネル８に当接し、吸込グリル９の四辺が化粧パネル８に密着すると巻取プーリ５１、５２、５３、５４の回転が停止する。このようにして、吸込グリル９が多少傾いて上限位置に到達しても吸込グリル９は化粧パネル８に隙間なく密着して収納される。なお、スプリング４５のばね力は吸込グリル９の重量よりも強く、渦巻バネ６１のばね力よりも小さいものである。渦巻バネ６１のばね力は巻き取り量に関係なく略一定にしてある。
【００１９】
この実施形態によれば、吸込グリル９が傾いた状態で吊上げられたとしても、すべての吊紐３１、３２、３３、３４が巻き取られるまで、巻取プーリ５１、５２、５３、５４の回転は継続されるので、吸込グリル９は水平になるまで吊上げられる。この場合、すでに巻き取られている吊紐にあっては、上述したようにスプリング４５が伸び巻取プーリ５１、５２、５３、５４を回転させることができる。吊紐３１、３２、３３、３４の長さのアンバランスがスプリング４５の伸びによって吸収されるので、吸込グリル９は化粧パネル８に完全に密着し、そこに隙間が生じることはない。
【００２０】
また、１個の巻取ロールを用いて、他にはガイドプーリ３５、３６、パネルガイド３７、３８、３９、４０、グリルプーリ４１、４２、４３、４４を使用するだけなので、安価な吸込グリル９の支持構造を提供できる。
【００２１】
以上、一実施形態に基づいて本発明を説明したが、本発明はこれに限定されるものではない。例えば、巻取手段は上述の機構に限定されない。別の実施形態として、電動機によりシャフト５６を正逆回転させるように構成し、巻取プーリを正逆回転させて吊紐を繰り出し／巻き取ることで吸込グリル９を昇降させるようにしてもよい。
【００２２】
【発明の効果】
以上説明したように、本発明によれば、吊紐の巻き取り終了時に、吸込グリルの収納タイミングにずれを生じ、化粧パネルに先に到達した側の吊紐の巻き取りが完了してもスプリングが伸び巻取プーリの回転を続けさせるので、巻き取りが完了していない他方側の吊紐も巻き取られる。このようにスプリングを設けたことにより、各吊紐の巻き取り時期がずれてもすべての吊紐の巻き取りが完了するので、吸込グリルは化粧パネルに密着して収納させることができる。
【図面の簡単な説明】
【図１】本発明による天井埋込型空気調和機の縦断面図である。
【図２】本発明による天井埋込型空気調和機の一実施形態を示す斜視図である。
【図３】本発明の吸込グリルを吊下げた状態を示す斜視図である。
【符号の説明】
１  天井埋込型空気調和機
８  化粧パネル
９  吸込グリル
２６  フィルタ
３１、３２、３３、３４  吊紐
３５、３６  ガイドプーリ
３７、３８、３９、４０  パネルガイド
４１、４２、４３、４４  グリルプーリ
４５  スプリング
５１、５２、５３、５４  巻取プーリ
５７  巻取手段
５９  巻取ロール
【図１】
0003760450.tif 000002
【図２】
0003760450.tif 000003
【図３】
0003760450.tif 000004